(57)【要約】【課題】コンサルタントの主催する「インターネットで栄養指導」の会員となったクライアントにインターネットを介して食事やその関連の指導を行う。会員となったクライアントはその会費をコンサルタントに対して支払う。【解決手段】サーバーに設置したプログラムを利用して、クライアントに対してコンサルタントが、生活習慣病予防や食事による正しいダイエット法を計画的かつ科学的根拠に基づき指導を行う。クライアントはコンサルタントからの指導内容に従い、食生活および体質の改善をする。クライアントはコンサルタントに対し定められた会費を支払う。【特許請求の範囲】
【請求項１】
パソコン用栄養計算プログラム（以下プログラム）を栄養コンサルタント（以下コンサルタント）がサーバーに設置する。インターネットを介してクライアントがそのプログラムをダウンロードし、会員としての必要事項を入力し送信する。会員登録をしたクライアントにコンサルタントは、その条件やニーズに合せたカスタムメードの一定期間の献立表やその料理のレシピ、アドバイスを作成し、そのデータファイルをクライアントにｅ−ｍａｉｌで送信する。
クライアントはその内容に従って食生活を中心に実施する。献立内容はプログラムの機能を用いて許容範囲内で変更ができる。クライアントは指導を受けた期間の結果報告をオンラインで行う。
コンサルタントは、その報告内容に対してコメントと共に次の献立予定表やアドバイス等のデータファイルをｅ−ｍａｉｌで送信する。
クライアント個人のプロフィールへのアクセスはコンサルタントより通知されたパスワードが必要で会員自身以外はアクセスできない。
クライアントはコンサルタントに対して、その会費を支払う。
【発明の詳細な説明】
【０００１】
【発明に属する利用分野】
クライアントは場所や時間に束縛されることなく、サーバーよりプログラムをダウンロードし、起動したプログラムにクライアントの性別・年齢・身長・活動強度等、個人の基本情報やコメントを入力し、会員としての登録をする。
コンサルタントはクライアントの情報に沿った具体的な献立やその料理のレシピ、コメント等のデータファイルをｅ−ｍａｉｌで送信する。
クライアントは送られたデータファイルをプログラムにインポートして、自分専用の献立表や料理のレシピの教示、アドバイス等を受ける。
クライアントはコンサルタントに対して、その会費を支払う。
【０００２】
【従来の方法】
個々の条件やニーズに合せたカスタムメードのダイエットのための献立や生活習慣病予防等の食事指導を受ける場合、場所や時間に束縛されずに適切な指導・助言を受けることができにくかった。
健康的にダイエットをしたり、生活習慣病予防のための食事をするために科学的にその数値を求めるにはクライアント自身が栄養学の専門知識を必要としたり、栄養計算プログラムを入手する必要があった。
【０００３】
【発明が解決しようとする課題】
適切な減量や正しい食生活をするために、科学的根拠に基づいたカスタムメードの献立表や料理のレシピをインターネットを通じて指導する。クライアントは場所や時間に束縛されることなく、その指導をコンサルタントから受けられる。また、独自に栄養計算プログラムを使用することができる。
【０００４】
【問題を解決するための手段】
（イ）コンサルタントの作成した、料理やそれを組み合わせた献立を登録したプログラムをサーバーに設置し、クライアントはそのプログラムをインターネットを通じてダウンロードする。
（ロ）クライアントはダウンロードしたプログラムを起動し、個人登録画面より性別、身長、年齢、活動強度、体重等の必要事項を入力し、会員登録をする。
（ハ）クライアントは会員登録と同時に一定期間の会費を支払う。
（ニ）  コンサルタントは会員登録の済んだクライアントに対しユーザーＩＤやパスワードの発行を行う。更に、クライアントの条件やニーズに合せたカスタムメードの生活習慣病予防やダイエットのための献立やその料理のレシピ、アドバイス等をインターネットを通じてクライアントに送信する。
（ホ）  クライアントはコンサルタントより通知されたユーザーＩＤやパスワードを入力することにより、コンサルタントより受信したデータファイルをプログラムにインポートし、その内容を知ることができる。クライアントはその献立表を必要に応じて適切な範囲内で修正ができる。
（へ）  コンサルタントより教示された内容で、一定期間を経過したクライアントは、その結果報告をインターネットを通じて行い、次の指導を受ける。
（ト）  クライアント個人のプロフィールへのアクセスはコンサルタントより通知されたパスワードが必要で、会員自身以外はアクセスできない。
（チ）  コンサルタントはサーバーに設置されたプログラムをアップデート等のメンテナンスをすることにより、常に最新情報の提供をすることができる。
（リ）  プログラムの入出力及び画面表示例の一部は下記のとおりである。
１．  個人データ（性別、年齢、身長、活動強度等）入力画面
２．  体格判定、必要栄養所要量の表示画面
３．  減量目標数値選択画面
４．  希望の食事内容選択画面
５．  希望の運動選択画面
６．  会員申し込み画面
７．  定められた期間の料理のレシピや献立表の確認、献立内容の変更、修正画面
８．  ユーザーＩＤおよびパスワードの通知画面
９．  質問や報告入力画面
１０．  プログラムアップデートのためのサーバーへのアクセス画面
１１．  継続契約確認画面
１２．  スタッフ紹介画面          等々
【０００５】
【発明の効果】
（イ）クライアントはインターネットを利用する環境があれば、場所や時間に束縛されることなく、手軽に食生活改善のための指導を受けたり、適切なダイエットプログラムに参加できる。
（ロ）クライアントは契約期間中は指導内容以外にも、栄養計算プログラムを使用することができる。
（ハ）コンサルタントは、タイムリーにアップデート等のメンテナンスができ、常に最新のプログラムを供給できる。
（ニ）会費の決済は、クレジットサービスを利用することにより、クライアント、コンサルタント共、安全かつ容易に行うことができる。
【図面の簡単な説明】
【図１】インターネットを利用したダイエット指導システムフローチャート
１．コンサルタント（Ｂ）はプログラムをサーバー（Ｃ）に設置する。
２．クライアント（Ｄ）はインターネット（Ａ）を利用して、コンサルタント（Ｂ）の設置したサーバー（Ｃ）よりプログラムをダウンロードする。（１）
３．クライアント（Ｄ）はダウンロードしたプログラムを起動し、個人情報登録画面より性別、身長、年齢、活動強度、体重等の基本情報や、クレジットカード情報等、必要事項を入力し、会員登録をする。（２）
４．コンサルタント（Ｂ）はクライアント（Ｄ）の会員登録の中から、クレジットカードの情報を、クレジット決済サービス企業（Ｅ）に送信する。（３）
５．  クレジット決済サービス企業（Ｅ）はクライアント（Ｄ）の会費の決済を行い（４）、その結果をコンサルタント（Ｂ）に連絡するとともに、決済をする。（５）
６．  コンサルタント（Ｂ）は会員となったクライアント（Ｄ）にユーザーＩＤおよびパスワードの発行を行う。（６）
７．  クライアント（Ｄ）はユーザーＩＤおよびパスワードを入力し、プロテクトを解除してプログラム正規版を起動させる。（７）
８．  コンサルタント（Ｂ）はクライアント（Ｄ）の条件やニーズに合せたカスタムメードの一定期間の献立表を作成するとともに、適切なアドバイスを添付したものをデータファイルとして、インターネットを通じてクライアント（Ｄ）に送信する。（８）
９．  （８）のデータファイルを受信したクライアント（Ｄ）は、プログラムにそのファイルをインポートし、献立表やその料理のレシピ、アドバイスを画面上で確認する。献立表はクライアント（Ｄ）が適切な範囲内で変更することができる。（９）
１０．  クライアント（Ｄ）はコンサルタント（Ｂ）より指導を受けた一定期間の結果報告、質問等をインターネットを通じて行う。（１０）
１１．  コンサルタント（Ｂ）は（１０）に対してコメントを加えて次の一定期間の献立表やアドバイス等をデータファイルとして送信する。（１１）
１２．  会員としての一定期間終了前には、継続して会員登録を続けるか否かの確認をクライアント（Ｄ）、コンサルタント（Ｂ）とも行う。（１２）・（１３）
１３．  コンサルタント（Ｂ）はプログラムアップデートのためのメンテナンスを行う。（１４）
【符号の説明】
（Ａ）  はインターネット網
（Ｂ）  はコンサルタント
（Ｃ）  はサーバーに設置したプログラム
（Ｄ）  はクライアント
（Ｅ）  はクレジット決済サービス企業
（１）はコンサルタント（Ｂ）の設置したプログラムをサーバー（Ｃ）より、クライアント（Ｄ）がインターネット（Ａ）を通じてダウンロード
（２）  はクライアント（Ｄ）が会員登録
（３）  はクライアント（Ｄ）のクレジットカード情報をコンサルタント（Ｂ）よりクレジット決済サービス企業（Ｅ）に送信
（４）  はクレジット決済サービス企業（Ｅ）がクライアント（Ｄ）の会費を決済
（５）  はクレジット決済サービス企業（Ｅ）がコンサルタント（Ｂ）へ決済
（６）  はコンサルタント（Ｂ）よりクライアント（Ｄ）へ正規版プログラム作動のためのユーザーＩＤおよびパスワードの発行
（７）  はクライアント（Ｄ）がユーザーＩＤおよびパスワードを入力してプログラムのプロテクトの解除
（８）  はコンサルタント（Ｂ）よりクライアント（Ｄ）の条件やニーズに合せたカスタムメードの献立表やアドバイス等をデータファイルとして送信
（９）  はクライアント（Ｄ）が（８）で受信したファイルをプログラムにインポートし、内容修正を希望する場合に献立表の修正を行う
（１０）  はクライアント（Ｄ）が指導を受け実施した期間の結果を、コンサルタント（Ｂ）に報告したり、質問等をインターネットを通じて行う
（１１）  はコンサルタント（Ｂ）は（１０）の報告に対してコメントを加えて次の一定期間の献立表やアドバイス等をデータファイルとして送信する
（１２）（１３）  は会員としての一定期間終了前に、継続して会員登録を続けるか否かの確認をクライアント（Ｄ）、コンサルタント（Ｂ）とも行う
（１４）  はコンサルタント（Ｂ）がアップデートのためのプログラムメンテナンスを行う
【図１】
2004265308.tif 000002